(57)【特許請求の範囲】
【請求項１】
複数の光源と、
前記複数の光源を両端部に有し光源から発せられた光を長手方向に導光することで被写体を照射する導光手段と、
前記導光手段により照射された被写体からの光を画像信号に変換する光電変換手段とを
有し、
前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端部の一方に配置された光源と、もう一方に配置された光源とを直列に接続したことにより前記被写体の照射状態を均一化したことを特徴とする画像読取装置。
【請求項２】
請求項１において、前記導光手段の両端部にそれぞれ略同一の発光効率を有する光源を配置したことを特徴とする画像読取装置。
【請求項３】
請求項１において、前記導光手段の両端部にそれぞれ略同一の発光量を有する光源を配置したことを特徴とする画像読取装置。
【請求項４】
請求項１において、前記直列に接続した光源を同じ電源に接続したことを特徴とする画像読取装置。
【請求項５】
請求項４において、前記同じ電源に接続した光源を同じ抵抗に接続したことを特徴とする画像読取装置。
【請求項６】
請求項５において、前記抵抗は、可変抵抗であることを特徴とする画像読取装置。
【請求項７】
請求項１において、前記導光手段を光透過性樹脂で形成したことを特徴とする画像読取装置。
【請求項８】
請求項１において、前記複数の光源を、複数の異なる分光特性を有するものから構成したことを特徴とする画像読取装置。
【請求項９】
請求項８において、前記導光手段の両端部にそれぞれ異なる分光特性を有する光源を複数配置したことを特徴とする画像読取装置。
【請求項１０】
請求項８または９において、前記導光手段の両端部において同じ分光特性を有する光源どうしが略同一の発光効率を有するように配置したことを特徴とする画像読取装置。
【請求項１１】
請求項８乃至１０において、前記同じ分光特性を有する光源は、同時に点灯可能にしたことを特徴とする画像読取装置。
【請求項１２】
請求項８乃至１０において、前記異なる分光特性を有する複数の光源は、各々独立して点灯可能としたことを特徴とする画像読取装置。
【請求項１３】
請求項１２において、前記異なる分光特性を有する複数の光源を順次点灯可能にしたことを特徴とする画像読取装置。
【請求項１４】
請求項８乃至１３において、前記複数の光源は、赤、緑、青の分光特性を有する光源を含むことを特徴とする画像読取装置。
【請求項１５】
請求項１乃至１４において、前記複数の光源は、ＬＥＤを含むことを特徴とする画像読取装置。
【請求項１６】
請求項１乃至１５において、前記導光手段は、前記被写体をライン状に照射し、前記光電変換手段は、ラインセンサであることを特徴とする画像読取装置。
【請求項１７】
複数の光源と、
前記複数の光源を両端部に有し光源から発せられた光を長手方向に導光することで被写体を照射する導光手段とを有し、
前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端部の一方に配置された光源と、もう一方に配置された光源とを直列に接続したことにより前記被写体の照射状態を均一化したことを特徴とする画像読取装置に使用可能な光源ユニット。
【請求項１８】
請求項１７において、前記導光手段の両端部にそれぞれ略同一の発光効率を有する光源を配置したことを特徴とする画像読取装置に使用可能な光源ユニット。
【請求項１９】
請求項１７において、前記導光手段の両端部にそれぞれ略同一の発光量を有する光源を配置したことを特徴とする画像読取装置に使用可能な光源ユニット。
【請求項２０】
請求項１７において、前記直列に接続した光源を同じ電源に接続したことを特徴とする画像読取装置に使用可能な光源ユニット。
【請求項２１】
請求項２０において、前記同じ電源に接続した光源を同じ抵抗に接続したことを特徴とする画像読取装置に使用可能な光源ユニット。
【請求項２２】
請求項２１において、前記抵抗は、可変抵抗であることを特徴とする光源ユニット。
【請求項２３】
請求項１７において、前記導光手段を光透過性樹脂で形成したことを特徴とする画像読取装置に使用可能な光源ユニット。
【請求項２４】
請求項１７において、前記複数の光源を、複数の異なる分光特性を有するものから構成したことを特徴とする画像読取装置に使用可能な光源ユニット。
【請求項２５】
請求項２４において、前記導光手段の両端部にそれぞれ異なる分光特性を有する光源を複数配置したことを特徴とする画像読取装置に使用可能な光源ユニット。
【請求項２６】
請求項２４または２５において、前記導光手段の両端部において同じ分光特性を有する光源どうしが略同一の発光効率を有するように配置したことを特徴とする画像読取装置に使用可能な光源ユニット。
【請求項２７】
請求項２４乃至２６において、前記同じ分光特性を有する光源は、同時に点灯可能にしたことを特徴とする画像読取装置に使用可能な光源ユニット。
【請求項２８】
請求項２４乃至２６において、前記異なる分光特性を有する複数の光源は、各々独立して点灯可能としたことを特徴とする画像読取装置に使用可能な光源ユニット。
【請求項２９】
請求項２８において、前記異なる分光特性を有する複数の光源を順次点灯可能にしたことを特徴とする画像読取装置に使用可能な光源ユニット。
【請求項３０】
請求項２４乃至２９において、前記複数の光源は、赤、緑、青の分光特性を有する光源を含むことを特徴とする画像読取装置に使用可能な光源ユニット。
【請求項３１】
請求項１７乃至３０において、前記複数の光源は、ＬＥＤを含むことを特徴とする画像読取装置に使用可能な光源ユニット。
【請求項３２】
請求項１７乃至３１において、前記導光手段は、前記被写体をライン状に照射することを特徴とする画像読取装置に使用可能な光源ユニット。
【発明の詳細な説明】
【０００１】
【発明の属する技術分野】
本発明は、例えばファクシミリやスキャナ等に用いられる画像読取装置及びその照明装置に関するものである。
【０００２】
【従来の技術】
従来からファクシミリ装置や電子複写機のような、文書、書籍などの画像情報を電気的に取り込んで処理する画像読取装置の原稿照明用光源として、図４０に示すようなＬＥＤチップを用いたものが広く用いられている。
【０００３】
ＬＥＤ基板５０上に配置された複数のＬＥＤチップ６０から照射された光は、原稿１０を照射する。そして、原稿からの反射光は等倍光学系１１によりセンサ基板１４に配置されたセンサ１２上に結像され画像信号に変換される。
【０００４】
このような照明装置は、画像情報のモノクロ読み取りを目的としたもので、赤なら赤の発光波長のＬＥＤチップだけ、緑なら緑の発光波長のＬＥＤチップだけを複数個同一基板に実装したＬＥＤアレイと呼ばれるものが用いられてきた。このタイプの光源は、ＬＥＤチップを画像読み取り幅（Ａ４サイズなら２１６ｍｍ、Ｂ４なら２５６ｍｍ）程度の長さに亘って照明ムラを生じないだけの十分に細かいピッチで（通常１０ｍｍ以下）複数個（通常２０個以上）並べた構造となっている。
【０００５】
また近年では、パーソナルコンピュータの普及により、画像情報をイメージスキャナで一旦コンピュータに取り込んで、カラーディスプレイに表示して処理するという使い方が増えてきている。。さらに、インクジェットプリンタのように手軽にカラー画像を出力できる安価な装置も普及してきている。この結果、画像情報をカラー画像として取り込むことが必須の条件となりつつある。
【０００６】
これら画像情報をカラー画像として取り込みカラー画像読取装置における照明装置としては、従来は、蛍光管等の放電管が主に用いられてきた。これは、画像のカラー読み取りのためには白色の光源か、赤色、青色、緑色の三色の光源が必要である。最も簡単に白色の光源、あるいは三色の光源を得るためには、蛍光管等の放電管を用いればよい。しかし、大きさ、コスト、消費電力等の点では、モノクロ読み取り用に多く用いられているＬＥＤの方が有利である。
【０００７】
画像のカラー読み取りをＬＥＤを光源として実現するためには、赤色、青色、緑色の三色のＬＥＤが必要である。赤色ＬＥＤ、緑ＬＥＤは、従来から比較的高輝度のものが実用化されていたが、青色ＬＥＤははるかに暗いものしかなく、これがＬＥＤを光源としたカラー読み取りを実用化するのを妨げていた。しかし、青色ＬＥＤに関しても飛躍的に高輝度のものが近年開発されている。
【０００８】
ＬＥＤを用いて画像読取装置に必要な線状の照明を得るには、ＬＥＤチップを多数並べてＬＥＤアレイとするほかに、図４１に示すように特殊な光学部材を用いて少数のＬＥＤから発せられた光束を線状に展開する方法が提案されている。このような光源を図４２に詳細に示す。図４２において、ＬＥＤチップを金属製のリード上にボンディングし、その部分を透明な樹脂でレンズ状に封止して作ったＬＥＤランプ１から発せられた光は、断面が円形である例えばアクリル樹脂等の透光性部材でつくられた導光体３を伝播する光束は、反射領域５により反射、散乱され、導光体３の外側に取り出される。ここで反射領域５は、導光体３の表面を微小な鋸歯状の形状とすることで形成されている。
【０００９】
導光体３の入射面側と反対側の終端部には、反射面６が設けられている。この反射面６は、導光体３自身の終端部の表面にアルミ等の金属を蒸着したり、或は、光拡散反射性の塗料を塗布することで構成されるが、別部材として設ける場合もある。
【００１０】
このような構成によりＬＥＤランプ１より発せられ、導光体３の入射面４より導光体３内に入射された光束Ｌは、導光体３の内面で反射を繰り返してその内部を伝播し、入射面４の反対側の面まで到達し、そこでまた反射されて導光体３の内部を伝播する。そして反射を繰り返す内に上記反射領域５に光が入射されると、光束はそこで反射され、領域５と対向する側を射出面として外部に光を射出する。
【００１１】
図４３は、図４２に示した構成をカラーに応用したものである。図４３において、ＬＥＤチップ１は、お互いに異なる発光波長を有する複数のＬＥＤチップを金属製のリードの上にボンディングし、その部分を透明な樹脂でレンズ状に封止されている。このＬＥＤランプ１の拡大図を図４４（ａ），（ｂ）に示す。図４（ａ）に示したそれぞれの発光波長の異なる赤色（Ｒ）、緑色（Ｇ）、青色（Ｂ）の発光波長のＬＥＤチップ１ａ，１ｂ，１ｃを内蔵するタイプ２は、フルカラー読み取りに対応しており、必ずしもフルカラー読み取りが必要でなく、単に赤色の印鑑や朱書き等を区別すれば良いような場合には、図４６（ｂ）に示したタイプ１を用いればよい。このような方法を用いれば、少数のＬＥＤランプを用いて、十分長い有効長を均一に照明することができる。高価な高輝度青色ＬＥＤを用いても、多数のＬＥＤを用いたものに比べて、安価なカラー画像読み取り光源を構成することが可能となる。
【００１２】
しかしながら、このように導光体の片側の端面のみに光源を設ける方法では、図４５に示すように光源のある端面側が明るく、反射面のあるもう一つの端面側はそれに比べて暗くなりやすい。このため照明ムラが大きくなる傾向がある。また、光源が片側の端面にしか設けられないために、全体の光量を大きくできないという欠点がある。このような欠点を解消するためには、図４６に示したようにＬＥＤランプを導光体の両端に設ける方法があり、ＬＥＤランプの数が多い分だけ、より多くの光量を得ることができる。
【００１３】
【発明が解決しようとする課題】
しかしながら、上記したように光源を導光体の両端に設けた場合、光源を導光体の片側に設ける方法では生じなかった問題が生じる。光源を導光体の片側のみに設ける方法では、照明ムラの形状は導光体の形状や光源の位置、受光面の位置等の幾何学的条件でほぼ決まってしまい、光源の発光量には依存しない。しかし光源を導光体の両端に設けた場合は、図４７に示したように両端の光源の発光量のバランスによって照明ムラの形状が変化してしまうという問題がある。
【００１４】
両端にＬＥＤランプを設けた図４６のカラー読み取り用光源の場合、Ｒ，Ｇ，Ｂのそれぞれの色の照明ムラを少なくするためには、Ｒ，Ｇ，Ｂ各色において、両端のＬＥＤチップから発する光量が等しいことが望ましい。そのためには、ＬＥＤチップに流す電流値を両端の各色のＬＥＤチップそれぞれに対して個別に調整し、それらの発光量を合わせるという非常に繁雑な作業を行う必要があり、生産性を低下させていた。また、図４８に示すように調整のための機構（例えば可変抵抗器）が両端のＲ，Ｇ，Ｂの分、すなわち６セット必要となり、コストアップにつながるという問題があった。
【００１５】
【課題を解決するための手段】
本発明は、上記課題を解決するためになされたものであり、請求項１に記載の画像読取装置では、複数の光源と、前記複数の光源を両端部に有し光源から発せられた光を長手方向に導光することで被写体を照射する導光手段と、前記導光手段により照射された被写体からの光を画像信号に変換する光電変換手段とを有し、前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端部の一方に配置された光源と、もう一方に配置された光源とを直列に接続したことにより前記被写体の照射状態を均一化したことを特徴とする。
【００１６】
請求項２に記載の画像読取装置では、請求項１に記載の装置において、前記導光手段の両端部にそれぞれ略同一の発光効率を有する光源を配置したことを特徴とする。
【００１７】
請求項３に記載の画像読取装置では、請求項１に記載の装置において、前記導光手段の両端部にそれぞれ略同一の発光量を有する光源を配置したことを特徴とする。
【００１８】
請求項４に記載の画像読取装置では、請求項１に記載の装置において、前記直列に接続した光源を同じ電源に接続したことを特徴とする。
【００１９】
請求項５に記載の画像読取装置では、請求項４に記載の装置において、前記同じ電源に接続した光源を同じ抵抗に接続したことを特徴とする。
【００２０】
請求項６に記載の画像読取装置では、請求項５に記載の装置において、前記抵抗は、可変抵抗であることを特徴とする。
【００２１】
請求項７に記載の画像読取装置では、請求項１に記載の装置において、前記導光手段を光透過性樹脂で形成したことを特徴とする。
【００２２】
請求項８に記載の画像読取装置では、請求項１に記載の装置において、前記複数の光源を、複数の異なる分光特性を有するものから構成したことを特徴とする。
【００２３】
請求項９に記載の画像読取装置では、請求項８に記載の装置において、前記導光手段の両端部にそれぞれ異なる分光特性を有する光源を複数配置したことを特徴とする。
【００２４】
請求項１０に記載の画像読取装置では、請求項８または９に記載の装置において、前記導光手段の両端部において同じ分光特性を有する光源どうしが略同一の発光効率を有するように配置したことを特徴とする。
【００２５】
請求項１１に記載の画像読取装置では、請求項８乃至１０に記載の装置において、前記同じ分光特性を有する光源は、同時に点灯可能にしたことを特徴とする。
【００２６】
請求項１２に記載の画像読取装置では、請求項８乃至１０に記載の装置において、前記異なる分光特性を有する複数の光源は、各々独立して点灯可能としたことを特徴とする。
【００２７】
請求項１３に記載の画像読取装置では、請求項１２に記載の装置において、前記異なる分光特性を有する複数の光源を順次点灯可能にしたことを特徴とする。
【００２８】
請求項１４に記載の画像読取装置では、請求項８乃至１３に記載の装置において、前記複数の光源は、赤、緑、青の分光特性を有する光源を含むことを特徴とする。
【００２９】
請求項１５に記載の画像読取装置では、請求項１乃至１４に記載の装置において、前記複数の光源は、ＬＥＤを含むことを特徴とする。
【００３０】
請求項１６に記載の画像読取装置では、請求項１乃至１５において、前記導光手段は、前記被写体をライン状に照射し、前記光電変換手段は、ラインセンサであることを特徴とする。
【００３１】
請求項１７に記載の画像読取装置に使用可能な光源ユニットでは、複数の光源と、前記複数の光源を両端部に有し光源から発せられた光を長手方向に導光することで被写体を照射する導光手段とを有し、前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端部の一方に配置された光源と、もう一方に配置された光源とを直列に接続したことにより前記被写体の照射状態を均一化したことを特徴とする。
【００３２】
請求項１８に記載の画像読取装置に使用可能な光源ユニットでは、請求項１７に記載の光源ユニットにおいて、前記導光手段の両端部にそれぞれ略同一の発光効率を有する光源を配置したことを特徴とする。
【００３３】
請求項１９に記載の画像読取装置に使用可能な光源ユニットでは、請求項１７に記載の光源ユニットにおいて、前記導光手段の両端部にそれぞれ略同一の発光量を有する光源を配置したことを特徴とする。
【００３４】
請求項２０に記載の画像読取装置に使用可能な光源ユニットでは、請求項１７に記載光源ユニットにおいて、前記直列に接続した光源を同じ電源に接続したことを特徴とする。
【００３５】
請求項２１に記載の画像読取装置に使用可能な光源ユニットでは、請求項２０に記載の光源ユニットにおいて、前記同じ電源に接続した光源を同じ抵抗に接続したことを特徴とする。
【００３６】
請求項２２に記載の画像読取装置に使用可能な光源ユニットでは、請求項２１に記載の光源ユニットにおいて、前記抵抗は、可変抵抗であることを特徴とする。
【００３７】
請求項２３に記載の画像読取装置に使用可能な光源ユニットでは、請求項１７に記載の光源ユニットにおいて、前記導光手段を光透過性樹脂で形成したことを特徴とする。
【００３８】
請求項２４に記載の画像読取装置に使用可能な光源ユニットでは、請求項１７に記載の光源ユニットにおいて、前記複数の光源を、複数の異なる分光特性を有するものから構成したことを特徴とする。
【００３９】
請求項２５に記載の画像読取装置に使用可能な光源ユニットでは、請求項２４に記載の光源ユニットにおいて、前記導光手段の両端部にそれぞれ異なる分光特性を有する光源を複数配置したことを特徴とする。
【００４０】
請求項２６に記載の画像読取装置に使用可能な光源ユニットでは、請求項２４または２５に記載の光源ユニットにおいて、前記導光手段の両端部において同じ分光特性を有する光源どうしが略同一の発光効率を有するように配置したことを特徴とする。
【００４１】
請求項２７に記載の画像読取装置に使用可能な光源ユニットでは、請求項２４乃至２６に記載の光源ユニットにおいて、前記同じ分光特性を有する光源は、同時に点灯可能にしたことを特徴とする。
【００４２】
請求項２８に記載の画像読取装置に使用可能な光源ユニットでは、請求項２４乃至２６に記載の光源ユニットにおいて、前記異なる分光特性を有する複数の光源は、各々独立して点灯可能としたことを特徴とする。
【００４３】
請求項２９に記載の画像読取装置に使用可能な光源ユニットでは、請求項２８に記載の光源ユニットにおいて、前記異なる分光特性を有する複数の光源を順次点灯可能にしたことを特徴とする。
【００４４】
請求項３０に記載の画像読取装置に使用可能な光源ユニットでは、請求項２４乃至２９に記載の光源ユニットにおいて、前記複数の光源は、赤、緑、青の分光特性を有する光源を含むことを特徴とする。
【００４５】
請求項３１に記載の画像読取装置に使用可能な光源ユニットでは、請求項１７乃至３０に記載の光源ユニットにおいて、前記複数の光源は、ＬＥＤを含むことを特徴とする。
【００４６】
請求項３２に記載の画像読取装置に使用可能な光源ユニットでは、請求項１７乃至３１において、前記導光手段は、前記被写体をライン状に照射することを特徴とする。
【００４７】
【発明の実施の形態】
以下、図面を用いて本発明を実施した実施の形態について説明する。
【００４８】
《第１の実施の形態》
図１に本発明の第１の実施の形態における画像読取装置の構成図を示す。図１において、光源ユニットを構成するＬＥＤランプ１，２から照射され導光体３により導光され反射した光９が原稿１０をライン状に照射する。原稿１０からの反射光は、等倍光学系１１により基板１３上に形成されたラインセンサ１２上に結像され、画像信号に変換される。
【００４９】
次に図２に、図１に示した画像読取装置に用いられる光源ユニットの構成を説明する。
【００５０】
図２において、お互いに異なる発光波長を有する複数のＬＥＤチップを金属製のリード上にボンディングし、その部分を透明な樹脂でレンズ状に封止してひとつのユニットとしたＬＥＤランプ１，２が、導光体３の両端にそれぞれ１個設けられている。
【００５１】
導光体３は、断面が円形で、例えばアクリル樹脂等の透光性部材でつくられており、ＬＥＤランプ１または２から発せられた光束が導光体３に入射する入射面４１，４２、導光体３を伝播する光束を反射・散乱し導光体３の外側に取り出すための反射領域５を有している。この反射領域５は、本実施の形態では、透光性部材３の表面を微小な鋸歯状の形状として、さらにその上にアルミの蒸着を行うことで形成される。
【００５２】
ＬＥＤランプ１及び２より発せられ、導光体３の入射面４１及び４２より導光体３内に入射された光束は、導光体３の内面で反射を繰り返してその内部を伝播する。そして、反射を繰り返すうちに上記反射領域５に入射すると光束はそこで反射し、該領域５と対向する側を射出面として外部に光を射出する。
【００５３】
次に、ＬＥＤランプ１の拡大図を図３に示す。発光波長の異なる赤色Ｒ、緑色Ｇ、青色Ｂの発光波長のＬＥＤチップ１ａ，１ｂ，１ｃ及び２ａ，２ｂ，２ｃが設けられている。本実施の形態においては、導光体３の異なる端部に配された各々の発光波長の光源であるＬＥＤチップ１ａ，１ｂ，１ｃ及び２ａ，２ｂ，２ｃは、同じ発光波長の光源どうし、すなわち赤色ＬＥＤチップ１ａと２ａ、緑色ＬＥＤチップ１ｂと２ｂ、青色ＬＥＤチップ１ｃと２ｃが、それぞれお互いに近接した発光効率を有するように構成されている。これについては、後で詳述する。
【００５４】
図４は、本実施の形態における各ＬＥＤチップの結線図である。図中ＬＥＤチップ１ａ，１ｂ，１ｃ及び２ａ，２ｂ，２ｃは、それぞれ図３に示したＬＥＤチップと同じである。ここで、導光体３の異なる端部に配された同じ発光波長の光源どうし、すなわち１ａと２ａ、１ｂと２ｂ、１ｃと２ｃは、互いに直列に接続されており、さらにそれぞれに可変抵抗ＶＲａ，ＶＲｂ，ＶＲｃが直列に挿入されている。また、異なる発光波長の光源どうし、すなわち１ａ，２ａと１ｂ，２ｂ、１ｂ，２ｂと１ｃ，２ｃ、１ｃ，２ｃと１ａ，２ａは、それぞれ互いに並列に接続されている。
【００５５】
このように同じ発光波長の光源どうしが直列に接続されているために、電源Ｓに接続されたときに１ａと２ａには電流Ｉａが、１ｂと２ｂには電流Ｉｂが、１ｃと２ｃには電流Ｉｃがそれぞれ流れるようになっている。また、１ａと２ａ、１ｂと２ｂ、１ｃと２ｃがそれぞれお互いに近接した発光効率を有するように構成されているため、ほぼ同じ発光量で発光する。
【００５６】
この結果、それぞれの発光波長での照度分布は、とくに調整を行わなくともほぼ均一となる。また、図４のように異なる発光波長の光源どうしが互いに並列に接続されているために、各発光波長での照度レベルを独立に調整することが可能になっている。図５のグラフの破線と実線で示したように、例えば赤色ＬＥＤの照度レベルを可変抵抗により調整できる。さらに、図６に示すように直列に接続される同一の発光波長を有する光源の数は、各端部に複数設けてもよい。
【００５７】
以上のように構成したことで、各色ごとの照度分布の調整を行う必要がなく、単に照度レベルのみを調整すればよくなった。このため調整作業が簡単になり、生産性を向上させることができた。また、従来の半分の３個の可変抵抗で適切な照度レベルを得ることができた。そして、可変抵抗の個数を減らしたことにより構成を簡単にでき、コストを低く抑えることができた。
【００５８】
また、ＬＥＤチップの結線は、図７のようにしてもよい。図中ＬＥＤチップ１ａ，１ｂ，１ｃ及び２ａ，２ｂ，２ｃは図３に示したものと同じである。導光体３の異なる端部に配された同じ発光波長の光源どうし、すなわち赤色ＬＥＤチップ１ａと２ａ、緑色ＬＥＤチップ１ｂと２ｂ、青色ＬＥＤチップ１ｃと２ｃは、各光源に直列に挿入された抵抗Ｒ１ａ，Ｒ２ａ，Ｒ１ｂ，Ｒ２ｂ，Ｒ１ｃ，Ｒ２ｃを介して並列にそれぞれの発光波長毎に定電圧源であるレギュレータＲＥＧａ，ＲＥＧｂ，ＲＥＧｃに接続されている。ここで抵抗Ｒ１ａとＲ２ａ、Ｒ１ｂとＲ２ｂ、Ｒ１ｃとＲ２ｃは、それぞれお互いに略同一の大きさの抵抗値を持つ。また、各レギュレータＲＥＧａ，ＲＥＧｂ，ＲＥＧｃには、それぞれ可変抵抗ＶＲａ，ＶＲｂ，ＶＲｃが接続されている。
【００５９】
このようにＬＥＤチップ１ａと２ａ、１ｂと２ｂ、１ｃと２ｃには、それぞれ略同一の抵抗値を有する抵抗が直列に接続されているために、電源Ｓに接続されたとき、１ａと２ａには略等しい電流Ｉ１ａとＩ２ａが、１ｂと２ｂには略等しい電流Ｉ１ｂとＩ２ｂが、１ｃと２ｃには、略等しい電流Ｉ１ｃとＩ２ｃが流れる。また、同じ発光波長を有するＬＥＤチップ１ａと２ａ、１ｂと２ｂ、１ｃと２ｃがそれぞれお互いに近接した発光効率を有するように構成されているため、それぞれほぼ同じ発光量で発光する。
【００６０】
この結果、それぞれの発光波長での照度分布は、とくに調整を行わなくてもほぼ均一となる。また、各レギュレータに接続された可変抵抗を変化させると、各発光波長での照度レベルを独立に調整することができる。さらに、図８に示すように各発光波長を有する光源の数は、導光体３の両端でそれぞれ複数設けてもよい。
【００６１】
このように構成することで、照度分布は調整を行わなくても均一であるため、単に照度レベルのみを３個の可変抵抗で調整することで均一な照度分布と適切な照度レベルを得ることができた。また、定電圧手段であるレギュレータを介して電源に接続されているため、電源電圧の変動があっても照度レベルは変動しないという利点がある。
【００６２】
次に、導光体３の異なる端部に配された同じ発光効率の光源どうし、すなわち赤色ＬＥＤ１ａと２ａ、緑色ＬＥＤ１ｂと２ｂ、青色ＬＥＤ１ｃと２ｃをそれぞれお互いに近接した発光効率を有するように構成する方法を説明する。
【００６３】
図２のようなＬＥＤランプ１を制作する工程を図９から図１５に示す。まず、図９のようなＬＥＤチップを実装する支持台となる金属フレーム１０１を用意し、図１０に示すようにこのフレーム上に第１の発光波長（例えばＲ）のＬＥＤチップ１０１ａを実装する。同様に、図１１のように第２の発光波長（例えばＧ）のＬＥＤチップ１０１ｂを実装し、さらに図１２のように第３の発光波長（例えばＢ）のＬＥＤチップ１０１ｃを実装する。そして図１３のようにこれらのＬＥＤチップにワイヤボンディングを施し、図１４のようにチップ上にレンズ状の樹脂を形成し、図１５のようにひとつひとつのＬＥＤランプに切り離すことで完成する。
【００６４】
つぎに導光体３の異なる端部に配された同じ発光波長の光源どうしをそれぞれお互いに近接した発光効率を有するように構成するには、このようにしてでき上がったＬＥＤランプ１個１個について、第１の発光波長のＬＥＤチップのみを発光させてその発光効率を測定する。
【００６５】
発光効率の測定は、ＬＥＤチップが所謂ダイオード特性を持ち、立ち上がり電圧Ｖｆが比較的ばらつかないことを利用して、一定電流を流したときの発光量の測定で代用することができる。
【００６６】
そして、このようにして測定した発光効率にしたがってその発光波長におけるランクを決定する。例えば、第１の発光波長においては、発光効率３．１％から２．７％はＡランク、発光効率２．６％から２．３％はＢランク、発光効率２．２％から１．９％はＣランク、発光効率１．８％から１．５％はＤランクというように決めておく。例えば、このＬＥＤランプの第１の発光効率が２．４％である場合には、Ｂランクになる。
【００６７】
同様にして第２、第３の発光波長に関しても同様にしてランク分けを行う。そして、このようにランク分けすることでひとつのＬＥＤランプに対して、それぞれの発光波長に関してランクが第１の発光波長に関してＢランク、第２の発光波長に関してＡランク、第１の発光波長に関してＣランク、というように決まる。
【００６８】
次にひとつのＬＥＤランプとしてのランクをそれに実装された各発光波長の光源の発光効率ランクの組み合わせで定義する。例えば、すべて発光波長に関してＡランクのＬＥＤランプはＡＡＡランク、第１の発光波長に関してはＡランクだが、第２、第３の発光波長に関してはＢランクのＬＥＤランプはＡＢＢランク、というように定義される。
【００６９】
そして、図１６に示すように、できあがったＬＥＤランプとしてのランクに従って分類することで、同一ランクのＬＥＤランプはひとまとめにすることができる。このように分類したＬＥＤランプを導光体と組み合わせてカラー光源ユニットを構成する場合には、ひとつのカラー光源ユニットには同一あるいは近接したランクに属するＬＥＤランプを使用する。そして、導光体の異なる端部に配された同じ発光波長の光源どうしをそれぞれお互いに近接した発光効率を有するように構成することが可能となる。
【００７０】
本実施の形態では、等倍光学系の例を説明したが、図１７に示すように縮小光学系でもかまわない。
【００７１】
《第２の実施の形態》
導光体の異なる端部に配された同じ発光波長の光源どうしをそれぞれお互いに近接した発光効率を有するように構成するための別の方法を第２の実施の形態として説明する。
【００７２】
図１８において、金属フレームを用意するところは第１の実施の形態と同じであるが、あらかじめ将来同一のカラーＬＥＤ光源の両端に取りつけられるＬＥＤランプとなる部分が分かるようにしておく。図１８のフレームのＡの部分は、同一のカラーＬＥＤ光源の両端に取りつけられるようにする。また、この一連のフレームを切り離してできるＬＥＤランプは、必ず同じフレームからできたＬＥＤランプと組み合わされて同一のＬＥＤ光源の両端に取りつけるようにしてもよい。
【００７３】
次に、第１の発光波長のＬＥＤチップを実装する場合を考える。ここで、同一のカラーＬＥＤ光源の両端に取りつけられるＬＥＤランプとなる部分には、同じ程度の発光効率を有するＬＥＤチップを実装するようにする。具体的には、図１９に示すようにウェハー上の各ＬＥＤチップの発光効率をあらかじめ測定しておき、発光効率３．１％から２．７％はＡランク、発光効率２．６％から２．３％はＢランク、発光効率２．２％から１．９％はＣランク、発光効率１．８％から１．５％はＤランクというようにランク分けする。
【００７４】
そして、図２０のように同程度の発光効率のＬＥＤチップを選択する方法や、図２１のようにウェハー上の近接した位置にあるＬＥＤチップは同程度の発光効率を有することが多いことを利用し、図２２のようにウェハー上の近接した位置にあるＬＥＤチップを選択し実装する方法が考えられる。
【００７５】
図２３乃至２６は、第２及び第３の発光波長のＬＥＤチップを第１の発光波長のＬＥＤチップと同様に選択し実装する様子を示している。このようにして選択されたＬＥＤを金属フレームに実装したものの上に、レンズ上の樹脂を成形し、各々に切り離してＬＥＤランプとする。
【００７６】
このようにして作成されたＬＥＤランプは、ばらばらにならないように目印をつけたり、ひとまとめにして包装するか、あるいはリールの連続した領域におさめるというような方法でまとめ、導光体の端面に取り付けてカラーＬＥＤ光源を組み立てる次の工程に送られる。
【００７７】
導光体と組み合わせるときには、図２７に示すようにひとつのカラー光源装置には、必ずこれらのあらかじめ同一のカラーＬＥＤ光源の両端に取り付けるべく定められていた、あるいは図２８に示すようにグループ分けされていたＬＥＤランプを使用するようにすればよい。
【００７８】
《第３の実施の形態》
上記した実施の形態では、金属フレームにＬＥＤチップを実装した金属フレーム型のＬＥＤランプについて説明したが、ここでは、図２９に示すような表面実装型のパッケージによくみられる平板上の基板２０１の上にＬＥＤチップをボンディングしてその上を樹脂２０３で封止した表面実装型ＬＥＤランプの場合について説明する。
【００７９】
図２９に示したのは、ひとつのパッケージにある発光波長のＬＥＤチップをひとつだけいれたものであるが、図３０に示すようにひとつのパッケージに複数の異なる発光波長のＬＥＤチップをいれてユニットとしたものも可能である。
【００８０】
このような表面実装型ＬＥＤランプの場合、図３１（ａ）に示す金属フレーム型ＬＥＤランプに比べて、図３１（ｂ）のように光束の指向性がブロードである。そのため、導光体の形状は単純な円形を断面形状として持つものではなく、図３２に示すような形状のものが適している。
【００８１】
このような導光体を用いた形態を図３３に示す。図３３において、ＬＥＤユニット１１及び２１は、お互いに異なる発光波長を有するＬＥＤチップをおさめた複数の表面実装型ＬＥＤランプをプリント基板の上にハンダ付けしてひとつのユニットとしたものであり、導光体３１の両端にそれぞれ１個設けられている。
【００８２】
導光体３１は、例えばアクリル樹脂等の透光性樹脂でつくられる。そして入射面４１及び４２からＬＥＤランプ１または２から発せられた光束が導光体３１に入射し、導光体３１を伝播した光束は、反射領域５において反射・錯乱し外部に向かって照射される。本実施の形態では、透光性部材３１の表面を微小な鋸歯状の形状とし、さらにその上にアルミの蒸着を行うことで反射領域を形成する。
【００８３】
図３４にこのＬＥＤユニット１１の拡大図を示す。表面実装型ＬＥＤランプ１１ａ，１１ｂ，１１ｃは、それぞれ発光波長の異なる赤色（Ｒ），緑色（Ｇ），青色（Ｂ）の発光波長のＬＥＤチップがそれぞれおさめられている。ＬＥＤユニット２１も同様の構造をしており、発光波長の異なるＲ，Ｇ，Ｂの発光波長のＬＥＤチップをおさめた表面実装型ＬＥＤランプ２１ａ，２１ｂ，２１ｃを有している。
【００８４】
本実施の形態においても図２に示したものと同様にして、ＬＥＤユニット１１及び１２より発せられ、導光体３１の入射面４１及び４２より導光体３内に入射された光束は、導光体３１の内面で反射を繰り返してその内部を伝播する。そして、反射を繰り返す内に反射領域５に光が入射されると光束はそこで反射され、該領域５と対抗する側を射出面として外部に光が射出される。
【００８５】
このような構成において、導光体３１の異なる端部に配された各々の発光波長の光源すなわちＬＥＤランプ１１ａ，１１ｂ，１１ｃ及び２１ａ，２１ｂ，２１ｃは、同じ発光波長の光源どうし、すなわちＬＥＤランプ１１ａと２１ａ、１１ｂと２１ｂ、１１ｃと２１ｃがそれぞれお互いに近接した発光効率を有するように構成されている。このように構成するためには、金属フレーム型ＬＥＤランプの形態で説明したのと同様な方法でＬＥＤランプをランク分けすればよい。
【００８６】
ランク分けの方法としては、できあがったＬＥＤユニットのランクをそれにハンダ付けされた各発光波長の表面実装型ＬＥＤランプの発光効率ランクの組み合わせで定義し、定義したランクに従ってＬＥＤユニットを分類し、ひとつのカラー光源ユニットには必ず同一の、あるいは近接したランクに属するＬＥＤランプが使用されるようにする方法がある。また、あらかじめ将来同一のカラーＬＥＤ光源の両端に取りつけられるＬＥＤランプとなる部分がわかるようにしておき、表面実装型ＬＥＤランプの発光効率をあらかじめ測定し、その部分には同じ程度の発光効率のＬＥＤチップを実装するようにする方法がある。
【００８７】
表面実装型ＬＥＤランプが、ひとつのパッケージにある発光波長のＬＥＤチップをひとつだけいれたものではなく、図３５に示すようにひとつのパッケージに複数の異なる発光波長のＬＥＤチップをいれてユニットとしたものである場合には、導光体の異なる端部に配された同じ発光波長の光源どうしをそれぞれお互いに近接した発光効率を有するように構成する場合についても、金属フレーム型ＬＥＤランプの形態と同様の方法でランク分けすればよい。
【００８８】
さらに図３６、３７に示すように複数の異なる発光波長のＬＥＤチップを直接プリント基板の上にボンディングしてしまうという方法も考えられる。図３６、３７において、ＬＥＤユニット１３及び２３は、お互いに異なる発光波長を有するＬＥＤチップを直接プリント基板３０１の上にボンディングしてひとつのユニットとしたＬＥＤユニットであり、導光体３１の両端にそれぞれ設けられている。ＬＥＤチップ１ａ，１ｂ，１ｃ及び２ａ，２ｂ，２ｃは、それぞれ赤色，緑色，青色の発光波長をそれぞれ有する。なお、図３７に示した導光体３１は、図３２に示したものと同様のものである。
【００８９】
以上説明したような光源ユニットを用いた画像読取装置の構成図を図３８に示す。図３８において、光源ユニットを構成するＬＥＤランプ１１，２１から照射され導光体３１により導光され反射した光９が原稿１０をライン状に照射する。原稿１０からの反射光は、等倍光学系１１により基板１４上に形成されたラインセンサ１２上に結像され、画像信号に変換される。なお、光学系は、図３８のような等倍光学系ではなく、図３９のような縮小光学系を用いたものでもかまわない。
【００９０】
【発明の効果】
請求項１に記載の画像読取装置では、複数の光源と、前記複数の光源を両端部に有し光源から発せられた光を長手方向に導光することで被写体を照射する導光手段と、前記導光手段により照射された被写体からの光を画像信号に変換する光電変換手段とを有し、前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端部の一方に配置された光源と、もう一方に配置された光源とを直列に接続したことにより前記被写体の照射状態を均一化することができるようになった。
【００９１】
請求項２に記載の画像読取装置では、請求項１に記載の装置において、前記導光手段の両端部にそれぞれ略同一の発光効率を有する光源を配置した。そして、上記した効果に加えて、さらに光源の発光効率を導光手段の両端部で均一化することができるようになった。
【００９２】
請求項３に記載の画像読取装置では、請求項１に記載の装置において、前記導光手段の両端部にそれぞれ略同一の発光量を有する光源を配置した。そして、上記した効果に加えて、さらに光源の発光量を導光手段の両端部で均一化することができるようになった。
【００９３】
請求項４に記載の画像読取装置では、請求項１に記載の装置において、前記直列に接続した光源を同じ電源に接続したことを特徴とする。そして、上記した効果に加えて、さらに導光手段の両端部に配置した光源に同じ電源から電力を供給できるようになった。
【００９４】
請求項５に記載の画像読取装置では、請求項４に記載の装置において、前記同じ電源に接続した光源を同じ抵抗に接続したことを特徴とする。そして、上記した効果に加えて、さらに、導光手段の両端部に配置した光源の照度レベルを同時に調整できるようになった。
【００９５】
請求項６に記載の画像読取装置では、請求項５に記載の装置において、前記抵抗は、可変抵抗であることを特徴とする。そして、上記した効果に加えて、さらに、導光手段の両端部に配置した光源の照度レベルをより正確に調整できるようになった。
【００９６】
請求項７に記載の画像読取装置では、請求項１に記載の装置において、前記導光手段を光透過性樹脂で形成した。そして、上記した効果に加えて、さらに導光手段を樹脂を用いて簡単に形成できるようになった。
【００９７】
請求項８に記載の画像読取装置では、請求項１に記載の装置において、前記複数の光源を、複数の異なる分光特性を有するものから構成した。そして、上記した効果に加えて、さらに異なる分光特性を有する光源を用いた読み取りを行うことができるようになった。
【００９８】
請求項９に記載の画像読取装置では、請求項８に記載の装置において、前記導光手段の両端部にそれぞれ異なる分光特性を有する光源を複数配置した。そして、上記した効果に加えて、さらに十分な光量で読み取りを行うことができるようになった。
【００９９】
請求項１０に記載の画像読取装置では、請求項８または９に記載の装置において、前記導光手段の両端部において同じ分光特性を有する光源どうしが略同一の発光特性を有するように配置した。そして、上記した効果に加えて、さらに同じ分光特性を有する光源を点灯したときの被写体の照射状態を均一化することができるようになった。
【０１００】
請求項１１に記載の画像読取装置では、請求項８乃至１０に記載の装置において、前記同じ分光特性を有する光源は、同時に点灯可能にした。そして、上記した効果に加えて、さらに同じ分光特性を有する光源を同時に点灯したときの被写体の照射状態を均一化することができるようになった。
【０１０１】
請求項１２に記載の画像読取装置では、請求項８乃至１０に記載の装置において、前記異なる分光特性を有する複数の光源は、各々独立して点灯可能とした。そして、上記した効果に加えて、さらにカラー読み取りを行うことができるようになった。
【０１０２】
請求項１３に記載の画像読取装置では、請求項１２に記載の装置において、前記異なる分光特性を有する複数の光源を順次点灯可能にした。そして、上記した効果に加えて、さらに異なる分光特性を有する光源を順次点灯することによりカラー読み取りを行うことができるようになった。
【０１０３】
請求項１４に記載の画像読取装置では、請求項８乃至１３に記載の装置において、前記複数の光源は、赤、緑、青の分光特性を有する光源を含むような構成とした。そして、上記した効果に加えて、さらにフルカラー読み取りを行うことができるようになった。
【０１０４】
請求項１５に記載の画像読取装置では、請求項１乃至１４に記載の装置において、前記複数の光源は、ＬＥＤを含むような構成とした。そして、上記した効果に加えて、さらにＬＥＤを用いて安定した読み取りを行うことができるようになった。
【０１０５】
請求項１６に記載の画像読取装置では、請求項１乃至１５に記載の装置において、前記導光手段は、前記被写体をライン状に照射し、前記光電変換手段は、ラインセンサであるような構成とした。そして、上記した効果に加えて、ラインセンサを用いて安定した読み取りを行うことができるようになった。
【０１０６】
請求項１７に記載の画像読取装置に使用可能な光源ユニットでは、複数の光源と、前記複数の光源を両端部に有し光源から発せられた光を長手方向に導光することで被写体を照射する導光手段とを有し、前記複数の光源は、前記導光手段を挟んで長手方向の一方の端と、もう一方の端に分けて配置されているとともに、異なる発光特性を有する複数の光源のなかから発光特性の近似した光源を抽出し、前記導光手段の両端部にそれぞれ抽出された光源を配置するとともに、前記両端の一方に配置された光源と、もう一方に配置された光源とを直列に接続したことにより前記被写体の照射状態を均一化したことを特徴とする。そして、このように光源を抽出し、配置したことにより、被写体の照射状態を均一化することができるようになった。
【０１０７】
請求項１８に記載の画像読取装置に使用可能な光源ユニットでは、請求項１７に記載の光源ユニットにおいて、前記導光手段の両端部にそれぞれ略同一の発光効率を有する光源を配置した。そして、上記した効果に加えて、さらに光源の発光効率を導光手段の両端部で均一化することができるようになった。
【０１０８】
請求項１９に記載の画像読取装置に使用可能な光源ユニットでは、請求項１７に記載の光源ユニットにおいて、前記導光手段の両端部にそれぞれ略同一の発光量を有する光源を配置した。そして、上記した効果に加えて、さらに光源の発光量を導光手段の両端部で均一化することができるようになった。
【０１０９】
請求項２０に記載の画像読取装置に使用可能な光源ユニットでは、請求項１７に記載光源ユニットにおいて、前記直列に接続した光源を同じ電源に接続したことを特徴とする。そして、上記した効果に加えて、さらに導光手段の両端部に配置した光源に同じ電源から電力を供給できるようになった。
【０１１０】
請求項２１に記載の画像読取装置に使用可能な光源ユニットでは、請求項２０に記載の光源ユニットにおいて、前記同じ電源に接続した光源を同じ抵抗に接続したことを特徴とする。そして、上記した効果に加えて、さらに、導光手段の両端部に配置した光源の照度レベルを同時に調整できるようになった。
【０１１１】
請求項２２に記載の画像読取装置に使用可能な光源ユニットでは、請求項２１に記載の光源ユニットにおいて、前記抵抗は、可変抵抗であることを特徴とする。そして、上記した効果に加えて、さらに、導光手段の両端部に配置した光源の照度レベルをより正確に調整できるようになった。
【０１１２】
請求項２３に記載の画像読取装置に使用可能な光源ユニットでは、請求項１７に記載の光源ユニットにおいて、前記導光手段を光透過性樹脂で形成した。そして、上記した効果に加えて、さらに導光手段を樹脂を用いて簡単に形成できるようになった。
【０１１３】
請求項２４に記載の画像読取装置に使用可能な光源ユニットでは、請求項１７に記載の光源ユニットにおいて、前記複数の光源を、複数の異なる分光特性を有するものから構成した。そして、上記した効果に加えて、さらに異なる分光特性を有する光源を用いた読み取りを行うことができるようになった。
【０１１４】
請求項２５に記載の画像読取装置に使用可能な光源ユニットでは、請求項２４に記載の光源ユニットにおいて、前記導光手段の両端部にそれぞれ異なる分光特性を有する光源を複数配置した。そして、上記した効果に加えて、さらに十分な光量で読み取りを行うことができるようになった。
【０１１５】
請求項２６に記載の画像読取装置に使用可能な光源ユニットでは、請求項２４または２５に記載の光源ユニットにおいて、前記導光手段の両端部において同じ分光特性を有する光源どうしが略同一の発光効率を有するように配置した。そして、上記した効果に加えて、さらに同じ分光特性を有する光源を点灯したときの被写体の照射状態を均一化することができるようになった。
【０１１６】
請求項２７に記載の画像読取装置に使用可能な光源ユニットでは、請求項２４乃至２６に記載の光源ユニットにおいて、前記同じ分光特性を有する光源は、同時に点灯可能にした。そして、上記した効果に加えて、さらに同じ分光特性を有する光源を同時に点灯したときの被写体の照射状態を均一化することができるようになった。
【０１１７】
請求項２８に記載の画像読取装置に使用可能な光源ユニットでは、請求項２４乃至２６に記載の光源ユニットにおいて、前記異なる分光特性を有する複数の光源は、各々独立して点灯可能とした。そして、上記した効果に加えて、さらにカラー読み取りを行うことができるようになった。
【０１１８】
請求項２９に記載の画像読取装置に使用可能な光源ユニットでは、請求項２８に記載の光源ユニットにおいて、前記異なる分光特性を有する複数の光源を順次点灯可能にした。そして、上記した効果に加えて、さらに異なる分光特性を有する光源を順次点灯することによりカラー読み取りを行うことができるようになった。
【０１１９】
請求項３０に記載の画像読取装置に使用可能な光源ユニットでは、請求項２４乃至２９に記載の光源ユニットにおいて、前記複数の光源は、赤、緑、青の分光特性を有する光源を含むような構成とした。そして、上記した効果に加えて、さらにフルカラー読み取りを行うことができるようになった。
【０１２０】
請求項３１に記載の画像読取装置に使用可能な光源ユニットでは、請求項１７乃至３０に記載の光源ユニットにおいて、前記複数の光源は、ＬＥＤを含むような構成とした。そして、上記した効果に加えて、さらにＬＥＤを用いて安定した読み取りを行うことができるようになった。
【０１２１】
請求項３２に記載の画像読取装置に使用可能な光源ユニットでは、請求項１７乃至３１に記載の光源ユニットにおいて、前記導光手段は、前記被写体をライン状に照射するような構成とした。そして、上記した効果に加えて、ラインセンサを用いた画像読取装置に使用して安定した読み取りを行うことができるようになった。
【図面の簡単な説明】
【図１】第１の実施の形態における画像読取装置の構成図である。
【図２】第１の実施の形態における照明装置の構成図である。
【図３】第１の実施の形態におけるＬＥＤランプの構成図である。
【図４】第１の実施の形態における照明装置の結線回路図である。
【図５】第１の実施の形態における赤色ＬＥＤ発光時の照度分布図である。
【図６】第１の実施の形態における照明装置の結線回路図である。
【図７】第１の実施の形態における照明装置の結線回路図である。
【図８】第１の実施の形態における照明装置の結線回路図である。
【図９】第１の実施の形態におけるＬＥＤランプの製作工程を説明する図である。
【図１０】第１の実施の形態におけるＬＥＤランプの製作工程を説明する図である。
【図１１】第１の実施の形態におけるＬＥＤランプの製作工程を説明する図である。
【図１２】第１の実施の形態におけるＬＥＤランプの製作工程を説明する図である。
【図１３】第１の実施の形態におけるＬＥＤランプの製作工程を説明する図である。
【図１４】第１の実施の形態におけるＬＥＤランプの製作工程を説明する図である。
【図１５】第１の実施の形態におけるＬＥＤランプの製作工程を説明する図である。
【図１６】第１の実施の形態におけるＬＥＤランプの組み合わせを説明する図である。
【図１７】第１の実施の形態における画像読取装置の構成図である。
【図１８】第２の実施の形態におけるＬＥＤランプの製作工程を説明する図である。
【図１９】第２の実施の形態におけるＬＥＤランプの製作工程を説明する図である。
【図２０】第２の実施の形態におけるＬＥＤランプの製作工程を説明する図である。
【図２１】第２の実施の形態におけるＬＥＤランプの製作工程を説明する図である。
【図２２】第２の実施の形態におけるＬＥＤランプの製作工程を説明する図である。
【図２３】第２の実施の形態におけるＬＥＤランプの製作工程を説明する図である。
【図２４】第２の実施の形態におけるＬＥＤランプの製作工程を説明する図である。
【図２５】第２の実施の形態におけるＬＥＤランプの製作工程を説明する図である。
【図２６】第２の実施の形態におけるＬＥＤランプの製作工程を説明する図である。
【図２７】第２の実施の形態におけるＬＥＤランプの組み合わせを説明する図である。
【図２８】第２の実施の形態におけるＬＥＤランプの組み合わせを説明する図である。
【図２９】第３の実施の形態におけるＬＥＤランプの構成図である。
【図３０】第３の実施の形態におけるＬＥＤランプの構成図である。
【図３１】金属フレーム型ＬＥＤランプと表面実装型ＬＥＤランプの指向特性を示す図である。
【図３２】第３の実施の形態における導光体の構成図である。
【図３３】第３の実施の形態における照明装置の構成図である。
【図３４】第３の実施の形態におけるＬＥＤユニットの構成図である。
【図３５】第３の実施の形態におけるＬＥＤユニットの構成図である。
【図３６】第３の実施の形態におけるＬＥＤユニットの構成図である。
【図３７】第３の実施の形態における照明装置の構成図である。
【図３８】第３の実施の形態における画像読取装置の構成図である。
【図３９】第３の実施の形態における画像読取装置の構成図である。
【図４０】従来の画像読取装置の構成図である。
【図４１】従来の画像読取装置の構成図である。
【図４２】従来の照明装置の構成図である。
【図４３】従来の照明装置の構成図である。
【図４４】従来のＬＥＤランプの構成図である。
【図４５】従来の照明装置の照度分布図である。
【図４６】従来の照明装置の構成図である。
【図４７】従来の照明装置の照度分布図である。
【図４８】従来の照明装置の結線回路図である。
【図４９】従来の照明装置の照度分布図である。
【符号の説明】
１  ＬＥＤランプ
２  ＬＥＤランプ
３  導光体
１１  ＬＥＤユニット
１２  ラインセンサ
２１  ＬＥＤユニット
３１  導光体
Ｓ  電源
ＶＲａ  可変抵抗
ＶＲｂ  可変抵抗
ＶＲｃ  可変抵抗
【図１】
0003666969.tif 000002
【図２】
0003666969.tif 000003
【図３】
0003666969.tif 000004
【図４】
0003666969.tif 000005
【図５】
0003666969.tif 000006
【図６】
0003666969.tif 000007
【図７】
0003666969.tif 000008
【図８】
0003666969.tif 000009
【図９】
0003666969.tif 000010
【図１０】
0003666969.tif 000011
【図１１】
0003666969.tif 000012
【図１２】
0003666969.tif 000013
【図１３】
0003666969.tif 000014
【図１４】
0003666969.tif 000015
【図１５】
0003666969.tif 000016
【図１６】
0003666969.tif 000017
【図１７】
0003666969.tif 000018
【図１８】
0003666969.tif 000019
【図１９】
0003666969.tif 000020
【図２０】
0003666969.tif 000021
【図２１】
0003666969.tif 000022
【図２２】
0003666969.tif 000023
【図２３】
0003666969.tif 000024
【図２４】
0003666969.tif 000025
【図２５】
0003666969.tif 000026
【図２６】
0003666969.tif 000027
【図２７】
0003666969.tif 000028
【図２８】
0003666969.tif 000029
【図２９】
0003666969.tif 000030
【図３０】
0003666969.tif 000031
【図３１】
0003666969.tif 000032
【図３２】
0003666969.tif 000033
【図３３】
0003666969.tif 000034
【図３４】
0003666969.tif 000035
【図３５】
0003666969.tif 000036
【図３６】
0003666969.tif 000037
【図３７】
0003666969.tif 000038
【図３８】
0003666969.tif 000039
【図３９】
0003666969.tif 000040
【図４０】
0003666969.tif 000041
【図４１】
0003666969.tif 000042
【図４２】
0003666969.tif 000043
【図４３】
0003666969.tif 000044
【図４４】
0003666969.tif 000045
【図４５】
0003666969.tif 000046
【図４６】
0003666969.tif 000047
【図４７】
0003666969.tif 000048
【図４８】
0003666969.tif 000049
【図４９】
0003666969.tif 000050